(57)【特許請求の範囲】
【請求項１】
サブフレームオフセットをベースとするキャリアアグリゲーション方法であって、
基地局によって、２次成分キャリアを追加することを決定するステップと、
前記基地局によって、前記２次成分キャリアのサブフレームをオフセットすることを決定し、１次成分キャリアに対する前記２次成分キャリアのサブフレームオフセット量を、前記１次成分キャリアのサブフレーム比および前記２次成分キャリアのサブフレーム比に従って決定するステップであって、前記サブフレームオフセット量はＮ個のサブフレームの大きさであり、前記サブフレームオフセット量は前記２次成分キャリアの前記サブフレーム比の期間の整数倍に等しくなく、Ｎは１以上の正の整数である、該ステップと、
前記基地局によって、前記基地局のカバレージエリア内の第１のユーザ機器ＵＥセット内の各ＵＥに対する前記２次成分キャリアを構成し、構成情報を前記第１のＵＥセット内の各ＵＥに送るステップであって、前記構成情報は、前記２次成分キャリアの周波数、前記２次成分キャリアの前記サブフレーム比、および前記２次成分キャリアの前記サブフレームオフセット量を備える、該ステップと
を含むことを特徴とする方法。
【請求項２】
前記方法は、
前記基地局によって、アップリンクトラフィック量および／またはダウンリンクトラフィック量に従って、前記２次成分キャリアの前記サブフレームオフセット量を調整することを決定するステップと、
前記基地局によって、前記２次成分キャリアが調整されることによる前記サブフレームオフセット量を決定するステップと、
前記基地局によって、前記２次成分キャリアに対する構成削除命令を、前記第１のＵＥセット内の各ＵＥに送るステップであって、前記構成削除命令は、前記第１のＵＥセット内の各ＵＥに指示して、前記２次成分キャリアの構成を削除するために用いられる、該ステップと、
前記基地局によって、第３のＵＥセット内にありおよび前記２次成分キャリアにキャンプオンするＵＥを別のキャリアにハンドオーバするステップであって、前記第３のＵＥセット内の前記ＵＥは、前記２次成分キャリアを１次成分キャリアとして用いるＵＥである、該ステップと、
前記基地局によって、前記２次成分キャリアが調整されることによるサブフレームオフセット量に従って、前記第１のＵＥセット内の各ＵＥに対する前記２次成分キャリアを再構成し、更新されたキャリア情報を前記第１のＵＥセット内の各ＵＥおよび前記第３のＵＥセット内の各ＵＥに送るステップであって、前記更新されたキャリア情報は、前記２次成分キャリアの前記周波数、前記２次成分キャリアの前記サブフレーム比、および前記２次成分キャリアが調整されることによる前記サブフレームオフセット量を備える、該ステップと、
前記基地局によって、前記２次成分キャリアに関したおよび前記第３のＵＥセット内の各ＵＥによって送られた測定結果を受信するステップであって、前記２次成分キャリアに関する前記測定結果は、前記更新されたキャリア情報に従って測定を行うことによって前記第３のＵＥセット内の各ＵＥによって得られる、該ステップと、
前記基地局によって、前記２次成分キャリアに関したおよび前記第３のＵＥセット内の各ＵＥによって送られた前記測定結果に従って、前記第３のＵＥセット内の各ＵＥを、前記別のキャリアから前記２次成分キャリアにハンドオーバするかどうかを決定し、前記第３のＵＥセット内にありおよび前記２次成分キャリアにハンドオーバされる必要があるＵＥをハンドオーバするステップと
をさらに含むことを特徴とする請求項１に記載の方法。
【請求項３】
前記方法は、
前記基地局によって、第１のＵＥによってアクティブ化されたキャリアを決定するステップであって、前記第１のＵＥは前記第１のＵＥセット内の任意のＵＥである、ステップと、
前記アクティブ化されたキャリアから前記基地局によって、バンドルされた送信のために用いられる少なくとも２つのキャリアのバンドルされたサブフレームを決定するステップであって、前記バンドルされたサブフレームは前記バンドルされた送信のために用いられる前記少なくとも２つのキャリアの連続したサブフレームであり、前記バンドルされたサブフレームは同じデータを送信するために用いられる、ステップと、
前記基地局によって、前記第１のＵＥが前記バンドルされた送信の構成情報に従って前記バンドルされた送信を行うように、前記バンドルされた送信の前記構成情報を前記第１のＵＥに送るステップであって、前記バンドルされた送信の前記構成情報は、前記バンドルされた送信のために用いられる前記少なくとも２つのキャリア、前記バンドルされた送信のために用いられる前記少なくとも２つのキャリア内にありおよび前記バンドルされた送信で用いられるリソースブロック、前記バンドルされたサブフレームのシーケンス番号、および前記バンドルされた送信のスケジューリング方式を備える、該ステップと
をさらに含むことを特徴とする請求項１または２に記載の方法。
【請求項４】
前記基地局によって、前記基地局のカバレージエリア内の第１のユーザ機器ＵＥセット内の各ＵＥに対する前記２次成分キャリアを構成する前記ステップの前に、前記方法は、
前記基地局によって、前記２次成分キャリアを用いて、前記基地局の前記カバレージエリア内のすべてのＵＥに、前記２次成分キャリアの前記周波数、前記サブフレーム比、および前記サブフレームオフセット量をブロードキャストするステップと、
前記基地局によって、予め設定された選択条件に従って前記ＵＥのすべてから第２のＵＥセットを決定し、前記第２のＵＥセット内の各ＵＥに測定命令を送るステップであって、前記測定命令は、前記第２のＵＥセット内の各ＵＥに指示して、前記２次成分キャリアを測定するために用いられる、ステップと、
前記基地局によって、前記２次成分キャリアに関したおよび前記第２のＵＥセット内の各ＵＥによって返された測定結果を受信するステップと、
前記基地局によって、前記２次成分キャリアに関したおよび前記第２のＵＥセット内の各ＵＥによって返された前記測定結果に従って、前記第２のＵＥセットから、その測定結果が予め設定された条件を満たすＵＥを決定し、その測定結果が前記予め設定された条件を満たす前記ＵＥを用いて前記第１のＵＥセットを形成するステップと
をさらに含むことを特徴とする請求項１に記載の方法。
【請求項５】
前記２次成分キャリアの前記サブフレームオフセット量は、前記１次成分キャリアの別の２次成分キャリアのサブフレームオフセット量と同じであることを特徴とする請求項１に記載の方法。
【請求項６】
前記２次成分キャリアの前記サブフレームオフセット量は、前記１次成分キャリアの別の２次成分キャリアのサブフレームオフセット量とは異なることを特徴とする請求項１に記載の方法。
【請求項７】
前記２次成分キャリアの前記サブフレーム比は、前記１次成分キャリアの前記サブフレーム比、および前記１次成分キャリアの別の２次成分キャリアのサブフレーム比と同じであることを特徴とする請求項１に記載の方法。
【請求項８】
前記２次成分キャリアの前記サブフレーム比は、前記１次成分キャリアの前記サブフレーム比、および前記１次成分キャリアの別の２次成分キャリアのサブフレーム比とは異なることを特徴とする請求項１に記載の方法。
【請求項９】
基地局であって、
決定モジュールであって、２次成分キャリアを追加することを決定するように構成され、
前記２次成分キャリアのサブフレームをオフセットすることを決定し、１次成分キャリアに対する前記２次成分キャリアのサブフレームオフセット量を、前記１次成分キャリアのサブフレーム比および前記２次成分キャリアのサブフレーム比に従って決定するようにさらに構成され、前記サブフレームオフセット量はＮ個のサブフレームの大きさであり、前記サブフレームオフセット量は前記２次成分キャリアの前記サブフレーム比の期間の整数倍に等しくなく、Ｎは１以上の正の整数である、該決定モジュールと、
前記基地局のカバレージエリア内の第１のユーザ機器ＵＥセット内の各ＵＥに対する前記２次成分キャリアを構成するように構成された構成モジュールと、
構成情報を前記第１のＵＥセット内の各ＵＥに送るように構成された送信モジュールであって、前記構成情報は、前記２次成分キャリアの周波数、前記２次成分キャリアの前記サブフレーム比、および前記２次成分キャリアの前記サブフレームオフセット量を備える、該送信モジュールと
を備えたことを特徴とする基地局。
【請求項１０】
前記決定モジュールは、
アップリンクトラフィック量および／またはダウンリンクトラフィック量に従って、前記２次成分キャリアの前記サブフレームオフセット量を調整することを決定し、
前記２次成分キャリアが調整されることによるサブフレームオフセット量を決定する
ようにさらに構成され、
前記送信モジュールは、前記２次成分キャリアに対する構成削除命令を、前記第１のＵＥセット内の各ＵＥに送るようにさらに構成され、前記構成削除命令は、前記第１のＵＥセット内の各ＵＥに指示して、前記２次成分キャリアの構成を削除するために用いられ、
前記基地局は、第３のＵＥセット内にありおよび前記２次成分キャリアにキャンプオンするＵＥを別のキャリアにハンドオーバするように構成されたハンドオーバモジュールをさらに備え、前記第３のＵＥセット内の前記ＵＥは、前記２次成分キャリアを１次成分キャリアとして用いるＵＥであり、
前記構成モジュールは、前記２次成分キャリアが調整されることによる前記サブフレームオフセット量に従って、前記第１のＵＥセット内の各ＵＥに対する前記２次成分キャリアを再構成するようにさらに構成され、
前記送信モジュールは、更新されたキャリア情報を前記第１のＵＥセット内の各ＵＥおよび前記第３のＵＥセット内の各ＵＥに送るようにさらに構成され、前記更新されたキャリア情報は、前記２次成分キャリアの前記周波数、前記２次成分キャリアの前記サブフレーム比、および前記２次成分キャリアが調整されることによる前記サブフレームオフセット量を備え、
前記基地局は、前記２次成分キャリアに関したおよび前記第３のＵＥセット内の各ＵＥによって送られた測定結果を受信するように構成された受信モジュールをさらに備え、前記２次成分キャリアに関する前記測定結果は、前記更新されたキャリア情報に従って測定を行うことによって前記第３のＵＥセット内の各ＵＥによって得られ、
前記ハンドオーバモジュールは、前記２次成分キャリアに関したおよび前記第３のＵＥセット内の各ＵＥによって送られた前記測定結果に従って、前記第３のＵＥセット内の各ＵＥを、前記別のキャリアから前記２次成分キャリアにハンドオーバするかどうかを決定し、前記第３のＵＥセット内にありおよび前記２次成分キャリアにハンドオーバされる必要があるＵＥをハンドオーバするようにさらに構成されたことを特徴とする請求項９に記載の基地局。
【請求項１１】
前記決定モジュールは、
第１のＵＥによってアクティブ化されたキャリアを決定することであって、前記第１のＵＥは前記第１のＵＥセット内の任意のＵＥである、決定すること、および
前記アクティブ化されたキャリアから、バンドルされた送信のために用いられる少なくとも２つのキャリアのバンドルされたサブフレームを決定することであって、前記バンドルされたサブフレームは前記バンドルされた送信のために用いられる前記少なくとも２つのキャリアの連続したサブフレームであり、前記バンドルされたサブフレームは同じデータを送信するために用いられる、該決定すること
を行うようにさらに構成され、
前記送信モジュールは、前記第１のＵＥが前記バンドルされた送信の構成情報に従って前記バンドルされた送信を行うように、前記バンドルされた送信の前記構成情報を前記第１のＵＥに送るようにさらに構成され、前記バンドルされた送信の前記構成情報は、前記バンドルされた送信のために用いられる前記少なくとも２つのキャリア、前記バンドルされた送信のために用いられる前記少なくとも２つのキャリア内にありおよび前記バンドルされた送信で用いられるリソースブロック、前記バンドルされたサブフレームのシーケンス番号、および前記バンドルされた送信のスケジューリング方式を備えたことを特徴とする請求項９または１０に記載の基地局。
【請求項１２】
前記送信モジュールは、
前記構成モジュールが、前記基地局の前記カバレージエリア内の前記第１のＵＥセット内の各ＵＥに対する前記２次成分キャリアを構成する前に、前記２次成分キャリアを用いて、前記基地局の前記カバレージエリア内のすべてのＵＥに、前記２次成分キャリアの前記周波数、前記サブフレーム比、および前記サブフレームオフセット量をブロードキャストする
ようにさらに構成され、
前記決定モジュールは、予め設定された選択条件に従って前記ＵＥのすべてから第２のＵＥセットを決定するようにさらに構成され、
前記送信モジュールは、前記第２のＵＥセット内の各ＵＥに測定命令を送るようにさらに構成され、前記測定命令は、前記第２のＵＥセット内の各ＵＥに指示して、前記２次成分キャリアを測定するために用いられ、
前記基地局は、
前記２次成分キャリアに関したおよび前記第２のＵＥセット内の各ＵＥによって返された測定結果を受信するように構成された受信モジュールをさらに備え、
前記決定モジュールは、前記２次成分キャリアに関したおよび前記第２のＵＥセット内の各ＵＥによって返された前記測定結果に従って、前記第２のＵＥセットから、その測定結果が予め設定された条件を満たすＵＥを決定し、その測定結果が前記予め設定された条件を満たす前記ＵＥを用いて前記第１のＵＥセットを形成するようにさらに構成されたことを特徴とする請求項９に記載の基地局。
【請求項１３】
前記２次成分キャリアの前記サブフレームオフセット量は、前記１次成分キャリアの別の２次成分キャリアのサブフレームオフセット量と同じであることを特徴とする請求項９に記載の基地局。
【請求項１４】
前記２次成分キャリアの前記サブフレームオフセット量は、前記１次成分キャリアの別の２次成分キャリアのサブフレームオフセット量とは異なることを特徴とする請求項９に記載の基地局。
【請求項１５】
前記２次成分キャリアの前記サブフレーム比は、前記１次成分キャリアの前記サブフレーム比、および前記１次成分キャリアの別の２次成分キャリアのサブフレーム比と同じであることを特徴とする請求項９に記載の基地局。
【請求項１６】
前記２次成分キャリアの前記サブフレーム比は、前記１次成分キャリアの前記サブフレーム比、および前記１次成分キャリアの別の２次成分キャリアのサブフレーム比とは異なることを特徴とする請求項９に記載の基地局。
【請求項１７】
コンピュータに請求項１ないし８のいずれかに記載の方法を実行させるプログラムを有するコンピュータ可読記憶媒体。
【発明の詳細な説明】
【技術分野】
【０００１】
本発明の実施形態は通信技術に関し、具体的にはサブフレームオフセットをベースとするキャリアアグリゲーション方法および基地局に関する。
【背景技術】
【０００２】
ロングタームエボリューション（Ｌｏｎｇ  Ｔｅｒｍ  Ｅｖｏｌｕｔｉｏｎ  Ａｄｖａｎｃｅｄ、略してＬＴＥ）システムからロングタームエボリューションアドバンスト（Ｌｏｎｇ  Ｔｅｒｍ  Ｅｖｏｌｕｔｉｏｎ  Ａｄｖａｎｃｅｄ、略してＬＴＥ−Ａ）システムへの進化過程において、より広いスペクトルに対する要求が、まさに進化に影響を及ぼす最も重要な要因である。従ってキャリアアグリゲーション（Ｃａｒｒｉｅｒ  Ａｇｇｒｅｇａｔｉｏｎ、略してＣＡ）技術が、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して３ＧＰＰ）において提案される。ＣＡにおいて、より大きな帯域幅を得るために、複数の隣接したまたは隣接しないキャリアがアグリゲートされる。
【０００３】
ＬＴＥ−Ａ時分割複信（Ｄｉｖｉｓｉｏｎ  Ｄｕｐｌｅｘｉｎｇ  Ｔｉｍｅ、略してＴＤＤ）システムでは、アグリゲートされることになる複数のキャリアのために、同じサブフレーム比または異なるサブフレーム比が用いられてよい。ほとんどのサービスにおいてアップリンクサービスより多いダウンリンクサービスがあることを考慮すると、共通に用いられるサブフレーム比において、より少ない数量のアップリンクサブフレームが存在する。キャリアアグリゲーションの後、複数のキャリアのアップリンクサブフレームは、重複することがある。本明細書ではアップリンクサブフレームの重複とは、複数のキャリアはすべて、同じタイムスロットにおけるアップリンク送信のために用いられることを意味する。アップリンクサービスおよびダウンリンクサービスの両方が増加するとき、システム容量を増加させるために、２次成分キャリアが追加されてよい。しかし２次成分キャリアを追加することは、比較的離れた点にいるユーザには顕著な恩恵をもたらすことはできない。比較的離れた点にいるユーザは、中央のユーザに対してである。比較的離れた点にいるユーザの送信電力によって制限されて、比較的離れた点にいるユーザは、同じ時点で２つのキャリアのアップリンクサブフレームを用いてデータを送ることができない。従ってキャリアアグリゲーション時にアップリンクサブフレームが重複する場合、比較的離れた点にいるユーザは、キャリアアグリゲーションによってもたらされる無線リソース増分の恩恵を得ることができない。
【発明の概要】
【課題を解決するための手段】
【０００４】
本発明の実施形態は、サブフレームオフセットをベースとするキャリアアグリゲーション方法および基地局をもたらす。キャリアアグリゲーションにおけるキャリアのアップリンクサブフレームは、サブフレームオフセットを用いてずらして配置され、その結果比較的離れた点にいるユーザは、キャリアアグリゲーションによってもたらされる恩恵を得ることができ、カバレージは強化され、容量は増大される。
【０００５】
本発明の第１の態様は、サブフレームオフセットをベースとするキャリアアグリゲーション方法をもたらし、
基地局によって、２次成分キャリアを追加することを決定するステップと、
基地局によって、２次成分キャリアのサブフレームをオフセットすることを決定し、１次成分キャリアに対する２次成分キャリアのサブフレームオフセット量を、１次成分キャリアのサブフレーム比および２次成分キャリアのサブフレーム比に従って決定するステップであって、サブフレームオフセット量はＮ個のサブフレームの大きさであり、サブフレームオフセット量は２次成分キャリアのサブフレーム比の期間の整数倍に等しくなく、Ｎは１以上の正の整数である、ステップと、
基地局によって、基地局のカバレージエリア内の第１のＵＥセット内の各ＵＥに対する２次成分キャリアを構成し、構成情報を第１のＵＥセット内の各ＵＥに送るステップであって、構成情報は、２次成分キャリアの周波数、２次成分キャリアのサブフレーム比、および２次成分キャリアのサブフレームオフセット量を含む、ステップと
を含む。
【０００６】
第１の態様に関連して、第１の態様の第１の可能な実装形態において、方法は、
基地局によって、アップリンクトラフィック量および／またはダウンリンクトラフィック量に従って、２次成分キャリアのサブフレームオフセット量を調整することを決定するステップと、
基地局によって、２次成分キャリアが調整されることによるサブフレームオフセット量を決定するステップと、
基地局によって、２次成分キャリアに対する構成削除命令を、第１のＵＥセット内の各ＵＥに送るステップであって、構成削除命令は、第１のＵＥセット内の各ＵＥに指示して、２次成分キャリアの構成を削除するために用いられる、ステップと、
基地局によって、第３のＵＥセット内にありおよび２次成分キャリアにキャンプオンするＵＥを別のキャリアにハンドオーバするステップであって、第３のＵＥセット内のＵＥは、２次成分キャリアを１次成分キャリアとして用いるＵＥである、ステップと、
基地局によって、２次成分キャリアが調整されることによるサブフレームオフセット量に従って、第１のＵＥセット内の各ＵＥに対する２次成分キャリアを再構成し、更新されたキャリア情報を第１のＵＥセット内の各ＵＥおよび第３のＵＥセット内の各ＵＥに送るステップであって、更新されたキャリア情報は、２次成分キャリアの周波数、２次成分キャリアのサブフレーム比、および２次成分キャリアが調整されることによるサブフレームオフセット量を含む、ステップと
基地局によって、２次成分キャリアに関したおよび第３のＵＥセット内の各ＵＥによって送られた測定結果を受信するステップであって、２次成分キャリアに関する測定結果は、更新されたキャリア情報に従って測定を行うことによって第３のＵＥセット内の各ＵＥによって得られる、ステップと、
基地局によって、２次成分キャリアに関したおよび第３のＵＥセット内の各ＵＥによって送られた測定結果に従って、第３のＵＥセット内の各ＵＥを、別のキャリアから２次成分キャリアにハンドオーバするかどうかを決定し、第３のＵＥセット内にありおよび２次成分キャリアにハンドオーバされる必要があるＵＥをハンドオーバするステップと
をさらに含む。
【０００７】
第１の態様、または第１の態様の第１の可能な実装形態に関連して、第１の態様の第２の可能な実装形態において方法は、
基地局によって、第１のＵＥによってアクティブ化されたキャリアを決定するステップであって、第１のＵＥは第１のＵＥセット内の任意のＵＥである、ステップと、
アクティブ化されたキャリアから基地局によって、バンドルされた送信のために用いられる少なくとも２つのキャリアのバンドルされたサブフレームを決定するステップであって、バンドルされたサブフレームはバンドルされた送信のために用いられる少なくとも２つのキャリアの連続したサブフレームであり、バンドルされたサブフレームは同じデータを送信するために用いられる、ステップと、
基地局によって、第１のＵＥがバンドルされた送信の構成情報に従ってバンドルされた送信を行うように、バンドルされた送信の構成情報を第１のＵＥに送るステップであって、バンドルされた送信の構成情報は、バンドルされた送信のために用いられる少なくとも２つのキャリア、バンドルされた送信のために用いられる少なくとも２つのキャリア内にありおよびバンドルされた送信で用いられるリソースブロック、バンドルされたサブフレームのシーケンス番号、およびバンドルされた送信のスケジューリング方式を含む、ステップと
をさらに含む。
【０００８】
第１の態様に関連して、第１の態様の第３の可能な実装形態において、基地局によって、基地局のカバレージエリア内の第１のユーザ機器ＵＥセット内の各ＵＥに対する２次成分キャリアを構成するステップの前に、方法は、
基地局によって、２次成分キャリアを用いて、基地局のカバレージエリア内のすべてのＵＥに、２次成分キャリアの周波数、サブフレーム比、およびサブフレームオフセット量をブロードキャストするステップと、
基地局によって、予め設定された選択条件に従ってＵＥのすべてから第２のＵＥセットを決定し、第２のＵＥセット内の各ＵＥに測定命令を送るステップであって、測定命令は、第２のＵＥセット内の各ＵＥに指示して、２次成分キャリアを測定するために用いられる、ステップと、
基地局によって、２次成分キャリアに関したおよび第２のＵＥセット内の各ＵＥによって返された測定結果を受信するステップと、
基地局によって、２次成分キャリアに関したおよび第２のＵＥセット内の各ＵＥによって返された測定結果に従って、第２のＵＥセットから、その測定結果が予め設定された条件を満たすＵＥを決定し、その測定結果が予め設定された条件を満たすＵＥを用いて第１のＵＥセットを形成するステップと
をさらに含む。
【０００９】
第１の態様に関連して、第１の態様の第４の可能な実装形態において、２次成分キャリアのサブフレームオフセット量は、１次成分キャリアの別の２次成分キャリアのサブフレームオフセット量と同じである。
【００１０】
第１の態様に関連して、第１の態様の第５の可能な実装形態において、２次成分キャリアのサブフレームオフセット量は、１次成分キャリアの別の２次成分キャリアのサブフレームオフセット量とは異なる。
【００１１】
第１の態様に関連して、第１の態様の第６の可能な実装形態において、２次成分キャリアのサブフレーム比は、１次成分キャリアのサブフレーム比、および１次成分キャリアの別の２次成分キャリアのサブフレーム比と同じである。
【００１２】
第１の態様に関連して、第１の態様の第７の可能な実装形態において、２次成分キャリアのサブフレーム比は、１次成分キャリアのサブフレーム比、および１次成分キャリアの別の２次成分キャリアのサブフレーム比とは異なる。
【００１３】
本発明の第２の態様は基地局をもたらし、
決定モジュールであって、２次成分キャリアを追加することを決定するように構成され、
２次成分キャリアのサブフレームをオフセットすることを決定し、１次成分キャリアに対する２次成分キャリアのサブフレームオフセット量を、１次成分キャリアのサブフレーム比および２次成分キャリアのサブフレーム比に従って決定するようにさらに構成され、サブフレームオフセット量はＮ個のサブフレームの大きさであり、サブフレームオフセット量は２次成分キャリアのサブフレーム比の期間の整数倍に等しくなく、Ｎは１以上の正の整数である、決定モジュールと、
基地局のカバレージエリア内の第１のユーザ機器ＵＥセット内の各ＵＥに対する２次成分キャリアを構成するように構成された構成モジュールと、
構成情報を第１のＵＥセット内の各ＵＥに送るように構成された送信モジュールであって、構成情報は、２次成分キャリアの周波数、２次成分キャリアのサブフレーム比、および２次成分キャリアのサブフレームオフセット量を含む、送信モジュールと
を含む。
【００１４】
第２の態様に関連して、第２の態様の第１の可能な実装形態において、決定モジュールは、
アップリンクトラフィック量および／またはダウンリンクトラフィック量に従って、２次成分キャリアのサブフレームオフセット量を調整することを決定し、
２次成分キャリアが調整されることによるサブフレームオフセット量を決定する
ようにさらに構成され、
送信モジュールは、２次成分キャリアに対する構成削除命令を、第１のＵＥセット内の各ＵＥに送るようにさらに構成され、構成削除命令は、第１のＵＥセット内の各ＵＥに指示して、２次成分キャリアの構成を削除するために用いられ、
基地局は、第３のＵＥセット内にありおよび２次成分キャリアにキャンプオンするＵＥを別のキャリアにハンドオーバするように構成されたハンドオーバモジュールをさらに含み、第３のＵＥセット内のＵＥは、２次成分キャリアを１次成分キャリアとして用いるＵＥであり、
構成モジュールは、２次成分キャリアが調整されることによるサブフレームオフセット量に従って、第１のＵＥセット内の各ＵＥに対する２次成分キャリアを再構成するようにさらに構成され、
送信モジュールは、更新されたキャリア情報を第１のＵＥセット内の各ＵＥおよび第３のＵＥセット内の各ＵＥに送るようにさらに構成され、更新されたキャリア情報は、２次成分キャリアの周波数、２次成分キャリアのサブフレーム比、および２次成分キャリアが調整されることによるサブフレームオフセット量を含み、
基地局は、２次成分キャリアに関したおよび第３のＵＥセット内の各ＵＥによって送られた測定結果を受信するように構成された受信モジュールをさらに含み、２次成分キャリアに関する測定結果は、更新されたキャリア情報に従って測定を行うことによって第３のＵＥセット内の各ＵＥによって得られ、
ハンドオーバモジュールは、２次成分キャリアに関したおよび第３のＵＥセット内の各ＵＥによって送られた測定結果に従って、第３のＵＥセット内の各ＵＥを、別のキャリアから２次成分キャリアにハンドオーバするかどうかを決定し、第３のＵＥセット内にありおよび２次成分キャリアにハンドオーバされる必要があるＵＥをハンドオーバするようにさらに構成される。
【００１５】
第２の態様、または第２の態様の第１の可能な実装形態に関連して、第２の態様の第２の可能な実装形態において、決定モジュールは、
第１のＵＥによってアクティブ化されたキャリアを決定することであって、第１のＵＥは第１のＵＥセット内の任意のＵＥである、決定すること、および
アクティブ化されたキャリアから、バンドルされた送信のために用いられる少なくとも２つのキャリアのバンドルされたサブフレームを決定することであって、バンドルされたサブフレームはバンドルされた送信のために用いられる少なくとも２つのキャリアの連続したサブフレームであり、バンドルされたサブフレームは同じデータを送信するために用いられる、決定すること
を行うようにさらに構成され、
送信モジュールは、第１のＵＥがバンドルされた送信の構成情報に従ってバンドルされた送信を行うように、バンドルされた送信の構成情報を第１のＵＥに送るようにさらに構成され、バンドルされた送信の構成情報は、バンドルされた送信のために用いられる少なくとも２つのキャリア、バンドルされた送信のために用いられる少なくとも２つのキャリア内にありおよびバンドルされた送信で用いられるリソースブロック、バンドルされたサブフレームのシーケンス番号、およびバンドルされた送信のスケジューリング方式を含む。
【００１６】
第２の態様に関連して、第２の態様の第３の可能な実装形態において、送信モジュールは、
構成モジュールが、基地局のカバレージエリア内の第１のＵＥセット内の各ＵＥに対する２次成分キャリアを構成する前に、２次成分キャリアを用いて、基地局のカバレージエリア内のすべてのＵＥに、２次成分キャリアの周波数、サブフレーム比、およびサブフレームオフセット量をブロードキャスト
するようにさらに構成され、
決定モジュールは、予め設定された選択条件に従ってＵＥのすべてから第２のＵＥセットを決定するようにさらに構成され、
送信モジュールは、第２のＵＥセット内の各ＵＥに測定命令を送るようにさらに構成され、測定命令は、第２のＵＥセット内の各ＵＥに指示して、２次成分キャリアを測定するために用いられ、
基地局は、
２次成分キャリアに関したおよび第２のＵＥセット内の各ＵＥによって返された測定結果を受信するように構成された受信モジュールをさらに含み、
決定モジュールは、２次成分キャリアに関したおよび第２のＵＥセット内の各ＵＥによって返された測定結果に従って、第２のＵＥセットから、その測定結果が予め設定された条件を満たすＵＥを決定し、その測定結果が予め設定された条件を満たすＵＥを用いて第１のＵＥセットを形成するようにさらに構成される。
【００１７】
第２の態様に関連して、第２の態様の第４の可能な実装形態において、２次成分キャリアのサブフレームオフセット量は、１次成分キャリアの別の２次成分キャリアのサブフレームオフセット量と同じである。
【００１８】
第２の態様に関連して、第２の態様の第５の可能な実装形態において、２次成分キャリアのサブフレームオフセット量は、１次成分キャリアの別の２次成分キャリアのサブフレームオフセット量とは異なる。
【００１９】
第２の態様に関連して、第２の態様の第６の可能な実装形態において、２次成分キャリアのサブフレーム比は、１次成分キャリアのサブフレーム比、および１次成分キャリアの別の２次成分キャリアのサブフレーム比と同じである。
【００２０】
第２の態様に関連して、第２の態様の第７の可能な実装形態において、２次成分キャリアのサブフレーム比は、１次成分キャリアのサブフレーム比、および１次成分キャリアの別の２次成分キャリアのサブフレーム比とは異なる。
【００２１】
本発明の実施形態においてもたらされる、サブフレームオフセットをベースとするキャリアアグリゲーション方法および基地局によれば、基地局は、新たに追加される２次成分キャリアのサブフレームをオフセットすることを決定し、２次成分キャリアに対して、１次成分キャリアに対するサブフレームオフセット量を決定し、次いで基地局のカバレージエリア内の第１のＵＥセット内の各ＵＥに対して、２次成分キャリアを構成し、構成情報を第１のＵＥセット内の各ＵＥに送る。構成情報は、２次成分キャリアの周波数、２次成分キャリアのサブフレーム比、および２次成分キャリアのサブフレームオフセット量を含む。この方法において、サブフレームオフセット量は２次成分キャリアに対して設定され、その結果２次成分キャリアおよび１次成分キャリアのアップリンクサブフレームはずらして配置されることができ、または２次成分キャリアおよび別のキャリアのアップリンクサブフレームはずらして配置されることができる。従ってキャリアアグリゲーションをサポートする比較的離れた点にいるユーザは、異なるキャリア上のアップリンクサブフレームを用いることができ、比較的離れた点にいるユーザは、キャリアアグリゲーションによってもたらされる恩恵を得ることができ、その結果カバレージは強化され、容量は増大される。
【図面の簡単な説明】
【００２２】
本発明の実施形態における、または従来技術における技術的解決策をより明確に述べるために、以下は実施形態または従来技術を述べるために必要な添付の図面を簡潔に述べる。明らかに以下の説明における添付の図面は本発明のいくつかの実施形態を示し、当業者は創造的な努力なしにこれらの添付の図面からさらに他の図面を導き出してよい。
【図１】本発明の実施形態１によるサブフレームオフセットをベースとするキャリアアグリゲーション方法のフローチャートである。
【図２】同じサブフレーム比を有するキャリアのサブフレームがオフセットされた後に得られるサブフレームパターンを示す図である。
【図３】同じサブフレーム比を有するキャリアのサブフレームがオフセットされた後に得られる別のサブフレームパターンを示す図である。
【図４】異なるサブフレーム比を有するキャリアのサブフレームがオフセットされた後に得られるサブフレームパターンを示す図である。
【図５】異なるサブフレーム比を有するキャリアのサブフレームがオフセットされた後に得られる別のサブフレームパターンを示す図である。
【図６】異なるサブフレーム比を有するキャリアのサブフレームがオフセットされた後に得られるさらに別のサブフレームパターンを示す図である。
【図７】ＴＤＤキャリアおよびＦＤＤキャリアの両方のサブフレームがオフセットされた後に得られるサブフレームパターンを示す図である。
【図８Ａ】本発明の実施形態２によるサブフレームオフセットをベースとするキャリアアグリゲーション方法のフローチャートである。
【図８Ｂ】本発明の実施形態２によるサブフレームオフセットをベースとするキャリアアグリゲーション方法のフローチャートである。
【図９】本発明の実施形態３によるサブフレームオフセットをベースとするキャリアアグリゲーション方法のフローチャートである。
【図１０】同じサブフレーム比を有するキャリアのサブフレームがオフセットされた後に得られるさらに別のサブフレームパターンを示す図である。
【図１１】本発明の実施形態４による基地局の概略構造図である。
【図１２】本発明の実施形態５による基地局の概略構造図である。
【図１３】本発明の実施形態７による基地局の概略構造図である。
【発明を実施するための形態】
【００２３】
本発明の実施形態の目的、技術的解決策、および利点をより明らかにするために以下は、本発明の実施形態における添付の図面を参照して、本発明の実施形態における技術的解決策を明らかにおよび十分に述べる。明らかに、述べられる実施形態は本発明の実施形態のいくつかであり、すべてではない。本発明の実施形態に基づいて当業者によって創造的な努力なしに得られるすべての他の実施形態は、本発明の保護範囲に包含されなければならない。
【００２４】
本発明の実施形態における方法は、主にＴＤＤがキャリアアグリゲーション（ａｇｇｒｅｇａｔｉｏｎ）をサポートする通信システムに適用される。例えば方法は、ＴＤＤ  ＬＴＥ−Ａシステム、またはＴＤＤ  ＬＴＥ−Ａに基づいて進化したシステムに適用されてよい。キャリアアグリゲーションセルは、通常１つの１次成分キャリアおよび少なくとも１つの２次成分キャリアを含む。従来技術において、アグリゲートされることになる複数のキャリアのアップリンクサブフレームは、重複することがある。アップリンクサービスおよびダウンリンクサービスの両方が増加するとき、システム容量を増加させるために、２次成分キャリアが追加されてよい。しかし２次成分キャリアを追加することは、比較的離れた点にいるユーザには顕著な恩恵をもたらすことはできない。比較的離れた点にいるユーザの送信電力によって制限されて、比較的離れた点にいるユーザは、同じ時点で２つのキャリアのアップリンクサブフレームを用いてデータを送ることができない。従ってキャリアアグリゲーション時にアップリンクサブフレームが重複する場合、比較的離れた点にいるユーザは、キャリアアグリゲーションによってもたらされる無線リソース増分の恩恵を得ることができない。比較的離れた点にいるユーザは、基地局から比較的大きな距離にいるユーザである。例えば基地局のカバレージエリアが円形であるとき、比較的離れた点にいるユーザは、基地局からのその距離が基地局のカバレージエリアの半径の１／２より大きなユーザである。
【００２５】
従来技術における問題を解決するために、本発明の実施形態１は、サブフレームオフセットをベースとするキャリアアグリゲーション方法をもたらす。図１は、本発明の実施形態１によるサブフレームオフセットをベースとするキャリアアグリゲーション方法のフローチャートである。図１に示されるように、この実施形態における方法は以下のステップを含んでよい。
【００２６】
ステップ１０１：基地局は、２次成分キャリアを追加することを決定する。
【００２７】
基地局は具体的には、以下の方法を用いて２次成分キャリアを追加するかどうかを決定してよい：基地局は通信システム内の予想されるアップリンクトラフィック量が現在のアップリンクトラフィック量より大きいことを決定する、または基地局は通信システム内の予想されるダウンリンクトラフィック量が現在のダウンリンクトラフィック量より大きいことを決定する、または基地局は通信システム内の予想されるアップリンクトラフィック量は現在のアップリンクトラフィック量より大きく、予想されるダウンリンクトラフィック量も現在のダウンリンクトラフィック量より大きいことを決定する。２次成分キャリアを追加することを決定した後、基地局はさらに、１次成分キャリアの属性および既存の２次成分キャリアの属性に従って、新たに追加される２次成分キャリアの属性を選択する必要がある。例えば基地局は、１次成分キャリアの周波数および既存の２次成分キャリアの周波数に従って、新たに追加される２次成分キャリアの周波数を決定し、キャリアの間のアイソレーションを確実にするように、１次成分キャリアの周波数および既存の２次成分キャリアの周波数からできるだけ離れた周波数を、新たに追加される２次成分キャリアの周波数として選択する。さらに基地局は、新たに追加される２次成分キャリアの帯域幅を、サービス要件を満たすように、予想されるアップリンクトラフィック量および／またはダウンリンクトラフィック量に従って決定する。
【００２８】
ステップ１０２：基地局は、２次成分キャリアのサブフレームをオフセットすることを決定し、１次成分キャリアに対する２次成分キャリアのサブフレームオフセット量を、１次成分キャリアのサブフレーム比および２次成分キャリアのサブフレーム比に従って決定し、ただしサブフレームオフセット量はＮ個のサブフレームの大きさであり、サブフレームオフセット量は２次成分キャリアのサブフレーム比の期間の整数倍に等しくなく、Ｎは１以上の正の整数である。
【００２９】
２次成分キャリアのサブフレームをオフセットすることを決定するとき、基地局は以下の要因の任意の１つまたは組み合わせを考慮する必要がある：（１）通信システムのアップリンクカバレージがダウンリンクカバレージより劣るかどうか。アップリンクカバレージがダウンリンクカバレージより劣る場合、２次成分キャリアのサブフレームをオフセットすることが考慮され、そうでない場合はサブフレームはオフセットされない。サブフレームオフセットの目的は、主にアップリンクカバレージを強化することである。（２）任意の２つのキャリアの間のガードインターバルが特定の閾値（２０ＭＨｚなど）未満である場合、サブフレームはオフセットされることはできず、ただし本明細書において任意の２つのキャリアとは、１次成分キャリアおよび２次成分キャリアでよく、または２つの２次成分キャリアでよい。これは主に、２つのキャリアの間のガードインターバルが極端に小さい場合、サブフレームがオフセットされた後、ＵＥが同時に２つのキャリア上でデータを受信するまたは送るときに２つのキャリアの間の干渉が比較的大きくなり、その結果通信システムの容量が低減されるからである。（３）サブフレームオフセットをサポートする、通信システム内のユーザ機器（Ｕｓｅｒ  Ｅｑｕｉｐｍｅｎｔ、略してＵＥ）の数量が特定の閾値未満である場合、サブフレームはオフセットされることはできない。例えばＵＥの総数量における、サブフレームオフセットをサポートする、通信システム内のＵＥの数量の割合が５％未満である場合、サブフレームはオフセットされることはできない。ＵＥは、ＵＥの能力パラメータを基地局に報告する。能力パラメータは、ＵＥによってサポートされる能力を含む。基地局は、ＵＥの能力パラメータに従って、ＵＥがサブフレームオフセットをサポートするかどうかを決定して、サブフレームオフセットをサポートする、通信システム内のＵＥの数量をカウントする。（４）サブフレームがオフセットされた後、元のアップリンクサブフレームおよび元のダウンリンクサブフレームが影響を受けるかどうか。例えば通信システム内のすべてのＵＥが、いくつかのアップリンクサブフレームにおいて同時にアップリンク送信またはダウンリンク受信を行う必要がある場合、ＵＥが受信または送信能力により、サブフレームオフセットの後にシステム情報を受信するまたは送ることができないという問題を避けるために、このタイプのサブフレームはサブフレームオフセット時に避けられる必要がある。
【００３０】
２次成分キャリアのサブフレームをオフセットすることを決定した後、基地局は、１次成分キャリアのサブフレーム比および２次成分キャリアのサブフレーム比に従って、１次成分キャリアに対する、２次成分キャリアのサブフレームオフセット量を決定する。ＴＤＤに関して、アップリンクおよびダウンリンクは時間において分離され、同じキャリア周波数を有し、すなわちそれぞれ１０ｍｓの期間内であり、アップリンクおよびダウンリンクにおいて全体として１０個の使用可能なサブフレームがあり、各サブフレームはアップリンクサブフレームまたはダウンリンクサブフレームである。ＴＤＤフレーム構造において、各無線フレームは最初に２つの５ｍｓのハーフフレームに分割され、異なるサブフレーム比を有するアップリンクおよびダウンリンクサービスを柔軟にサポートするように、無線フレームは５ｍｓ期間および１０ｍｓ期間の２つのタイプに分割されてよい。５ｍｓ期間において、サブフレーム１およびサブフレーム６は、特別サブフレームとして固定的に構成される。１０ｍｓ期間において、サブフレーム１は、特別サブフレームとして固定的に構成される。ＴＤＤ−ＬＴＥ通信システムでは、表１に示されるように、７つのサブフレーム比がサポートされる。
【００３１】
【表１】
0006463516.tif 000002
【００３２】
表１においてＤはダウンリンクサブフレームを表し、Ｕはアップリンクサブフレームを表し、Ｓは特別サブフレームを表す。この実施形態において、１次成分キャリアのサブフレーム比は、キャリアのサブフレーム比と同じまたは異なってよい。１次成分キャリアのサブフレーム比が２次成分キャリアのサブフレーム比と同じであるときは、１次成分キャリアおよび２次成分キャリアのすべてのアップリンクサブフレームは重複する。１次成分キャリアのサブフレーム比が２次成分キャリアのサブフレーム比とは異なるときは、１次成分キャリアおよび２次成分キャリアのいくつかのアップリンクサブフレームのみが重複する。
【００３３】
この実施形態においてサブフレームオフセット量の大きさは、実際の必要性に従って決定されてよい。サブフレームオフセット量はＮ個のサブフレームの大きさであり、サブフレームオフセット量は２次成分キャリアのサブフレーム比の期間の整数倍に等しくない。従来技術では１つのスケジューリング期間において、１次成分キャリアの第１のサブフレームは、サブフレームパターンにおいて２次成分キャリアの第１のサブフレームと整列される。この実施形態において２次成分キャリアのサブフレームはオフセットされ、その結果１次成分キャリアの第１のサブフレームは、サブフレームパターンにおいて２次成分キャリアの第１のサブフレームとは整列せず、従って２次成分キャリアのアップリンクサブフレームは、１次成分キャリアまたは別の２次成分キャリアのアップリンクサブフレームからずらして配置される。
【００３４】
複数の２次成分キャリアが、１次成分キャリアのために構成されてよいことが留意されるべきである。新たに追加される２次成分キャリアのサブフレームオフセット量は、１次成分キャリアの別の２次成分キャリアのサブフレームオフセット量と同じまたは異なってよく、２次成分キャリアのサブフレーム比は、１次成分キャリアのサブフレーム比および１次成分キャリアの別の２次成分キャリアのサブフレーム比と同じまたは異なってよい。
【００３５】
図２に示されるように、図２は同じサブフレーム比を有するキャリアのサブフレームがオフセットされた後に得られるサブフレームパターンである。図２では１つの１次成分キャリアおよび１つの２次成分キャリアの、全体として２つのキャリアがある。１次成分キャリアおよび２次成分キャリアのサブフレーム比は、共に比２である。２次成分キャリアのサブフレームオフセット量は、別々に１、２、３、および４である。０のサブフレームオフセット量は、サブフレームはオフセットされないことを意味する。図３は、同じサブフレーム比を有するキャリアのサブフレームがオフセットされた後に得られる別のサブフレームパターンである。図３では１つのキャリアおよび２つの２次成分キャリアの、全体として３つのキャリアがある。１次成分キャリアおよび２つの２次成分キャリアのサブフレーム比は、すべて比２である。２つの２次成分キャリアのサブフレームオフセット量は異なる。図２および図３に示されるように、同じ比を有する２つ以上のキャリアのアグリゲーション時に、２つ以上のキャリアのアップリンクサブフレームは、異なるサブフレームオフセット量に従ってずらして配置されてよい。
【００３６】
図４は、異なるサブフレーム比を有するキャリアのサブフレームがオフセットされた後に得られるサブフレームパターンである。図４では１つの１次成分キャリアおよび１つの２次成分キャリアの、全体として２つのキャリアがある。１次成分キャリアに対しては比２が用いられ、２次成分キャリアに対しては比１が用いられる。２次成分キャリアのサブフレームオフセット量は、別々に１、２、３、および４である。図５は、異なるサブフレーム比を有するキャリアのサブフレームがオフセットされた後に得られる別のサブフレームパターンである。図５では１つのキャリアおよび２つの２次成分キャリアの、全体として３つのキャリアがある。１次成分キャリアのサブフレーム比は比２であり、２つの２次成分キャリアのサブフレーム比は、比１である。２つの２次成分キャリアのサブフレームオフセット量は異なる。図６は、異なるサブフレーム比を有するキャリアのサブフレームがオフセットされた後に得られるさらに別のサブフレームパターンである。図５では１つのキャリアおよび２つの２次成分キャリアの、全体として３つのキャリアがある。１次成分キャリアのサブフレーム比は比２であり、２次成分キャリア１のサブフレーム比は比１であり、２次成分キャリアのサブフレーム比は、比３である。２つの２次成分キャリアのサブフレームオフセット量は異なる。図４から図６より、異なる比を有する２つ以上のＴＤＤキャリアのアグリゲーション時に、２つ以上のキャリアのアップリンクサブフレームは、異なるサブフレームオフセット量に従ってずらして配置されてよいことが理解されてよい。
【００３７】
図２から図６における１次成分キャリアおよび２次成分キャリアは、すべてＴＤＤキャリアである。本発明のこの実施形態における方法では、２次成分キャリアはさらに、ＦＤＤキャリアを含んでよい。ＴＤＤキャリアおよびＦＤＤキャリアの両方が用いられるとき、１次成分キャリアはＴＤＤキャリアであり、２次成分キャリアは、少なくとも１つのＴＤＤキャリアを含む必要がある。図７は、ＴＤＤキャリアおよびＦＤＤキャリアの両方のサブフレームがオフセットされた後に得られるサブフレームパターンである。図７に示されるように、図７では１つの１次成分キャリアおよび３つの２次成分キャリアの、全体として４つのキャリアがある。１次成分キャリアのサブフレーム比は比２であり、２次成分キャリア１のサブフレーム比は比１である。２次成分キャリア３はＦＤＤアップリンクキャリアであり、キャリア４はＦＤＤダウンリンクキャリアである。２次成分キャリア１のサブフレームオフセット量は、別々に１および２である。
【００３８】
図２から図７に示される例から、従来技術と比較して、２つ以上のキャリアのサブフレーム比は既存のプロトコルにおいて定義されるものと同じであるが、２つ以上のキャリアがアグリゲートされた後に得られるサブフレームパターンは、従来技術において実施されるキャリアアグリゲーションのサブフレームパターンとは全く異なることが理解されてよい。異なるキャリアのすべてのアップリンクサブフレームが同じＵＥによって用いられることができるように、すべてのアップリンクサブフレームはサブフレームオフセットを用いてずらして配置される。
【００３９】
ステップ１０３：基地局は、基地局のカバレージエリア内の第１のＵＥセット内の各ＵＥに対して、２次成分キャリアを構成し、構成情報を第１のＵＥセット内の各ＵＥに送り、構成情報は２次成分キャリアの周波数、２次成分キャリアのサブフレーム比、および２次成分キャリアのサブフレームオフセット量を含む。
【００４０】
基地局のカバレージエリア内の第１のＵＥセット内の各ＵＥに対する２次成分キャリアを構成する前に、基地局は以下の動作をさらに行ってよく、基地局は、１次成分キャリアまたは２次成分キャリアを用いて、基地局のカバレージエリア内のすべてのＵＥに、２次成分キャリアの周波数、サブフレーム比、およびサブフレームオフセット量をブロードキャストし、次いで基地局は、予め設定された選択条件に従ってＵＥのすべてから第２のＵＥセットを決定し、第２のＵＥセット内の各ＵＥに測定命令を送り、測定命令は、第２のＵＥセット内の各ＵＥに指示して、２次成分キャリアを測定するために用いられる。第２のＵＥセット内の各ＵＥは、予め設定された選択条件を満たす。予め設定された選択条件は、非限定的に以下の条件、（１）ＵＥはアップリンクキャリアアグリゲーションをサポートすること、（２）ＵＥは、それのサブフレームがオフセットされたキャリアのアグリゲーションをサポートすること、（３）ＵＥは全二重をサポートすること、（４）ＵＥは劣るカバレージを有するユーザであり、例えばＵＥの基準信号受信電力（Ｒｅｆｅｒｅｎｃｅ  Ｓｉｇｎａｌ  Ｒｅｃｅｉｖｉｎｇ  Ｐｏｗｅｒ、略してＲＳＲＰ）は−１２０ｄＢｍ（デシベル）未満であること、（５）ＵＥのアップリンクサービスは電力によって制限され、例えばＵＥの電力ヘッドルームレポート（Ｐｏｗｅｒ  Ｈｅａｄｒｏｏｍ  Ｒｅｐｏｒｔ、略してＰＨＲ）は０であり、信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、略してＳＩＮＲ）は−３ｄＢ未満であること、（５）ＵＥのアップリンクサービスが制限され、例えばエアインターフェースレートはユーザによって必要とされるレートの１０％に達しないこと、（６）ＵＥのダウンリンクサービスが制限され、例えばエアインターフェースレートはユーザによって必要とされるレートの１０％に達しないことを含む。
【００４１】
構成情報はさらに、２次成分キャリアの帯域幅を含んでよく、基地局はさらに隣接したセルに、２次成分キャリアの構成情報を通知してよい。
【００４２】
基地局によって送られた測定命令を受信した後、第２のＵＥセット内の各ＵＥは、２次成分キャリアを測定し、２次成分キャリアに関する測定結果を基地局に返す。２次成分キャリアに関する、第２のＵＥセット内の各ＵＥによって返された測定結果を受信した後、基地局は、２次成分キャリアに関する、第２のＵＥセット内の各ＵＥによって返された測定結果に従って、第２のＵＥセットからその測定結果が予め設定された条件を満たすＵＥを決定し、その測定結果が予め設定された条件を満たすＵＥを用いて、第１のＵＥセットを形成する。予め設定された条件は、非限定的に以下の条件、ＵＥのダウンリンクＲＳＲＰが特定の閾値より大きいこと、および／またはＳＩＮＲが特定の閾値より大きいことを含む。基地局は、予め設定された条件を満たすＵＥを用いて第１のＵＥセットを形成し、次いで第１のＵＥセット内のＵＥのための２次成分キャリアを構成し、第１のＵＥセット内の各ＵＥが２次成分キャリアの構成情報に従ってデータを受信しまたは送るように、第１のＵＥセット内の各ＵＥの構成情報を各ＵＥに送る。
【００４３】
この実施形態において基地局は、新たに追加される２次成分キャリアに対して、１次成分キャリアに対するサブフレームオフセット量を決定し、次いで基地局のカバレージエリア内の第１のＵＥセット内の各ＵＥに対して、２次成分キャリアを構成し、構成情報を第１のＵＥセット内の各ＵＥに送る。構成情報は、２次成分キャリアの周波数、２次成分キャリアのサブフレーム比、および２次成分キャリアのサブフレームオフセット量を含む。この方法において、サブフレームオフセット量は２次成分キャリアに対して設定され、その結果２次成分キャリアおよび１次成分キャリアのアップリンクサブフレームはずらして配置されることができ、または２次成分キャリアおよび別のキャリアのアップリンクサブフレームはずらして配置されることができる。従ってキャリアアグリゲーションをサポートする比較的離れた点にいるユーザは、異なるキャリア上のアップリンクサブフレームを用いることができ、比較的離れた点にいるユーザは、キャリアアグリゲーションによってもたらされる恩恵を得ることができ、その結果カバレージは強化され、容量は増大される。
【００４４】
実施形態１に基づいて別の実施形態において、２次成分キャリアは時点Ｔ１において１次成分キャリアに追加されてよく、次いでネットワークシステム稼働プロセスにおいて、サービス要件に従って時点Ｔ２において、２次成分キャリアに対してサブフレームオフセット量が設定されることが留意されるべきである。
【００４５】
図８Ａ、図８Ｂは、本発明の実施形態２によるサブフレームオフセットをベースとするキャリアアグリゲーション方法のフローチャートである。図８Ａ、図８Ｂに示されるようにこの実施形態における方法では、以下のステップを含んでよい。
【００４６】
ステップ２０１：基地局は、２次成分キャリアを追加することを決定する。
【００４７】
ステップ２０２：基地局は、２次成分キャリアのサブフレームをオフセットすることを決定し、１次成分キャリアに対する２次成分キャリアのサブフレームオフセット量を、１次成分キャリアのサブフレーム比および２次成分キャリアのサブフレーム比に従って決定し、ただしサブフレームオフセット量はＮ個のサブフレームの大きさであり、サブフレームオフセット量は２次成分キャリアのサブフレーム比の期間の整数倍に等しくなく、Ｎは１以上の正の整数である。
【００４８】
ステップ２０３：基地局は、基地局のカバレージエリア内の第１のＵＥセット内の各ＵＥに対して、２次成分キャリアを構成し、構成情報を第１のＵＥセット内の各ＵＥに送り、構成情報は２次成分キャリアの周波数、２次成分キャリアのサブフレーム比、および２次成分キャリアのサブフレームオフセット量を含む。
【００４９】
ステップ２０１から２０３の特定の実装形態については、実施形態１の説明を参照されたい。ここでは詳細は再び述べられない。
【００５０】
ステップ２０４：基地局は、アップリンクトラフィック量および／またはダウンリンクトラフィック量に従って、２次成分キャリアのサブフレームオフセット量を調整することを決定する。
【００５１】
通信システム内のアップリンクトラフィック量が増加または減少するとき、および／またはダウンリンクトラフィック量が増加または減少するとき、基地局は通信システム内のトラフィック量変化に適応し、通信システムの容量を最大化するように、２次成分キャリアのサブフレームオフセット量を調整してよい。
【００５２】
ステップ２０５：基地局は、２次成分キャリアが調整されることによるサブフレームオフセット量を決定する。
【００５３】
具体的には、アップリンクトラフィック量が増加した場合、サブフレームオフセット量は、１次成分キャリアおよび２次成分キャリア上のアップリンクサブフレームの数量を最大化するように調整されてよく、すなわちすべてのアップリンクサブフレームがユーザによって用いられることができる。アップリンクトラフィック量が減少した場合、サブフレームオフセット量は、１次成分キャリアおよび２次成分キャリア上のアップリンクサブフレームの数量を減少させるように調整されてよく、またはサブフレームオフセット量は０に調整され、すなわちサブフレームはオフセットされる必要がない。
【００５４】
ステップ２０６：基地局は、２次成分キャリアに対する構成削除命令を、第１のＵＥセット内の各ＵＥに送り、構成削除命令は、第１のＵＥセット内の各ＵＥに指示して、２次成分キャリアの構成を削除するために用いられる。
【００５５】
基地局は、２次成分キャリアがそれらのために構成された、すべてのＵＥの２次成分キャリアの元の構成を削除し、２次成分キャリアに対するサブフレームオフセット量を再構成する必要がある。
【００５６】
ステップ２０７：基地局は第３のＵＥセット内にある、２次成分キャリアにキャンプオンするＵＥを別のキャリアにハンドオーバし、第３のＵＥセット内のＵＥは、２次成分キャリアを１次成分キャリアとして用いるＵＥである。
【００５７】
１次成分キャリアおよび２次成分キャリアは、ＵＥに対して相対的であることが留意されるべきである。キャリアは、いくつかのＵＥに対しては２次成分キャリアであるが、他のＵＥに対しては１次成分キャリアである。従って基地局によって追加された２次成分キャリアは、第３のＵＥセット内のＵＥの１次成分キャリアとなってよい。第３のＵＥセット内のＵＥは、２次成分キャリアを１次成分キャリアとして用い、すなわち第３のＵＥセット内のＵＥは、２次成分キャリアを用いてネットワークにアクセスする。２次成分キャリアの構成情報が変化された場合、第３のＵＥセット内のＵＥも影響を受ける。第３のＵＥセット内のＵＥのデータ受信および送信に影響を及ぼすことを避けるために、基地局は、第３のＵＥセット内のＵＥを別のキャリアにハンドオーバする。
【００５８】
ステップ２０８：基地局は、２次成分キャリアが調整されることによるサブフレームオフセット量に従って、第１のＵＥセット内の各ＵＥに対して２次成分キャリアを再構成し、更新されたキャリア情報を第１のＵＥセット内の各ＵＥおよび第３のＵＥセット内の各ＵＥに送り、更新されたキャリア情報は、２次成分キャリアの周波数、２次成分キャリアのサブフレーム比、および２次成分キャリアが調整されることによるサブフレームオフセット量を含む。
【００５９】
第１のＵＥセット内の各ＵＥの２次成分キャリアの元の構成を削除した後、基地局は、各ＵＥに対する２次成分キャリアを再構成し、更新されたキャリア情報を各ＵＥに送る。２次成分キャリアでありおよび更新されたキャリア情報内にある、サブフレームオフセット量は変更される。第１のＵＥセット内のＵＥはその後、更新されたキャリア情報に従ってデータを受信するまたは送信する。
【００６０】
ステップ２０９：基地局は、２次成分キャリアに関する、第３のＵＥセット内の各ＵＥによって送られた測定結果を受信する。
【００６１】
２次成分キャリアに関する測定結果は、更新されたキャリア情報に従って測定を行うことによって、第３のＵＥセット内の各ＵＥによって得られる。基地局は、第３のＵＥセット内のＵＥが２次成分キャリアを再測定するように、更新されたキャリア情報を第３のＵＥセット内のＵＥに送る。
【００６２】
ステップ２１０：基地局は、２次成分キャリアに関する、第３のＵＥセット内の各ＵＥによって送られた測定結果に従って、第３のＵＥセット内の各ＵＥを、別のキャリアから２次成分キャリアにハンドオーバするかどうかを決定し、第３のＵＥセット内にある、２次成分キャリアにハンドオーバされる必要があるＵＥをハンドオーバする。
【００６３】
具体的には、２次成分キャリアに関する、第３のＵＥセット内のＵＥによって報告された測定結果が、２次成分キャリアの信号品質はハンドオーバ条件を満たすことを示す場合、ＵＥは別のキャリアから２次成分キャリアにハンドオーバされる。ハンドオーバ条件を満たさないＵＥは、ハンドオーバされない。ＵＥが別のキャリアから２次成分キャリアにハンドオーバされることは、ＵＥがセル間上でハンドオーバされることを意味する。
【００６４】
この実施形態において基地局はさらに、通信システム内のリソースの使用を最大化するために、トラフィック量変化に従って、２次成分キャリアのサブフレームオフセット量を変更してよい。
【００６５】
ＬＴＥシステムにおいて、物理層スケジューリングの基本単位は１ミリ秒（ｍｓ）、すなわち１つのサブフレームの大きさである。このような短い時間間隔は、ＬＴＥにおける比較的低いデータ待ち時間を確実にしてよい。しかし限られた電力のため、比較的離れた点にいるユーザは、１ｍｓの時間間隔内のデータ送信時に、ブロックエラー率（Ｂｌｏｃｋ  Ｅｒｒｏｒ  Ｒａｔｉｏ、略してＢＥＲ）要件を満たさないことがある。従って、ＴＴＩバンドリング（Ｂｕｄｄｉｎｇ）概念が提案される。アップリンクの連続したＴＴＩは、同じＵＥに割り当てられてよい。同じコンテンツが、アップリンクＴＴＩにおいて送られる。このようにしてデータの復号に成功する確率は改善され、ＬＴＥのアップリンクカバレージエリアは増大される。従来技術では通常、４つの連続したＴＴＩがバンドルされ、４つの連続したＴＴＩは１つのサブキャリアに属する。本発明の実施形態における方法では、サブフレームオフセット後のキャリアの間で、より多くの連続したアップリンクタイムスロットおよび連続したダウンリンクタイムスロットが存在する。従って、クロスキャリアＴＴＩバンドリングが実施されることができる。
【００６６】
図９は、本発明の実施形態３によるサブフレームオフセットをベースとするキャリアアグリゲーション方法のフローチャートである。この実施形態は、実施形態１および実施形態２に基づいて実施される。図９に示されるように、この実施形態における方法は以下のステップを含んでよい。
【００６７】
ステップ３０１：基地局は、２次成分キャリアを追加することを決定する。
【００６８】
ステップ３０２：基地局は、２次成分キャリアのサブフレームをオフセットすることを決定し、１次成分キャリアに対する２次成分キャリアのサブフレームオフセット量を、１次成分キャリアのサブフレーム比および２次成分キャリアのサブフレーム比に従って決定し、ただしサブフレームオフセット量はＮ個のサブフレームの大きさであり、サブフレームオフセット量は２次成分キャリアのサブフレーム比の期間の整数倍に等しくなく、Ｎは１以上の正の整数である。
【００６９】
ステップ３０３：基地局は、基地局のカバレージエリア内の第１のＵＥセット内の各ＵＥに対して、２次成分キャリアを構成し、構成情報を第１のＵＥセット内の各ＵＥに送り、構成情報は２次成分キャリアの周波数、２次成分キャリアのサブフレーム比、および２次成分キャリアのサブフレームオフセット量を含む。
【００７０】
ステップ３０１から３０３の特定の実装形態については、実施形態１の説明を参照されたい。ここでは詳細は再び述べられない。
【００７１】
ステップ３０４：基地局は第１のＵＥによってアクティブ化されたキャリアを決定し、第１のＵＥは第１のＵＥセット内の任意のＵＥである。
【００７２】
ステップ３０５：基地局は、アクティブ化されたキャリアから、バンドルされた送信のために用いられる少なくとも２つのキャリアのバンドルされたサブフレームを決定し、バンドルされたサブフレームは、バンドルされた送信のために用いられる少なくとも２つのキャリアの連続したサブフレームであり、バンドルされたサブフレームは同じデータを送信するために用いられる。
【００７３】
バンドルされた送信のために用いられる２つ以上のキャリアがあってよい。バンドルされた送信のために用いられる少なくとも２つのキャリアは、１次成分キャリアおよび２次成分キャリアでよく、または２次成分キャリアでよい。図１０は、同じサブフレーム比を有するキャリアのサブフレームがオフセットされた後に得られるさらに別のサブフレームパターンである。図１０に示されるようにキャリア１およびキャリア２の両方の比は、比２である。キャリア２のサブフレームがオフセットされる。キャリアに対してオフセットが行われた後、第１のＵＥは、キャリア１のサブフレーム２、３、７、および８でアップリンク送信を行い、キャリア２のサブフレーム４、５、９、および１０でアップリンク送信を行ってよい。上記の説明から第１のＵＥは、連続したサブフレーム２、３、４、および５でアップリンクデータを送信し、連続したサブフレーム７、８、９、および１０でアップリンクデータを送信してよいことが理解されてよい。従ってＴＴＩバンドリングを用いて、キャリア１のアップリンクサブフレーム２および３は、キャリア２のアップリンクサブフレーム４および５とバンドルされてよく、キャリア１のアップリンクサブフレーム７および８は、キャリア２のアップリンクサブフレーム９および１０とバンドルされてよい。
【００７４】
ステップ３０６：基地局は、第１のＵＥがバンドルされた送信の構成情報に従ってバンドルされた送信を行うように、バンドルされた送信の構成情報を第１のＵＥに送り、バンドルされた送信の構成情報は、バンドルされた送信のために用いられる少なくとも２つのキャリア、バンドルされた送信のために用いられる少なくとも２つのキャリア内にありおよびバンドルされた送信で用いられるリソースブロック、バンドルされたサブフレームのシーケンス番号、およびバンドルされた送信のスケジューリング方式を含む。
【００７５】
バンドルされたサブフレームを決定した後、基地局はバンドルされた送信の構成情報を第１のＵＥに送る。基地局はバンドルされた送信の構成情報を、１次成分キャリアを用いて送ってよく、またはバンドルされた送信の構成情報を、２次成分キャリアを用いて送ってよい。あるいは基地局は、バンドルされた送信の構成情報を、１次成分キャリアおよび２次成分キャリアの両方を用いて送ってよい。バンドルされた送信の構成情報は、バンドルされた送信のために用いられる少なくとも２つのキャリア、バンドルされた送信のために用いられる少なくとも２つのキャリア内の、バンドルされた送信で用いられるリソースブロック（Ｒｅｓｏｕｒｃｅ  Ｂｌｏｃｋ、略してＲＢ）、バンドルされたサブフレームのシーケンス番号、およびバンドルされた送信のスケジューリング方式を含む。バンドルされた送信に用いられる各キャリアは、複数のリソースブロックを含む。いくつかのリソースブロックはバンドルされた送信に用いられ、いくつかのリソースブロックはバンドルされた送信に用いられない。従って基地局はさらに、バンドルされた送信に用いられるリソースブロックを第１のＵＥに通知する必要がある。スケジューリング方式は、動的スケジューリング、および半永続的スケジューリング（Ｓｅｍｉ−Ｐｅｒｓｉｓｔｅｎｔ  Ｓｃｈｅｄｕｌｉｎｇ、略してＳＰＳ）を含む。
【００７６】
この実施形態においてクロスキャリア半永続的スケジューリング時に、基地局は、半永続的スケジューリングのスケジューリング情報を、キャリアアグリゲーション内の１つのキャリアを用いて示してよい。スケジューリング情報は、通常１次成分キャリアによって示され、もちろん２次成分キャリアによって示されてよい。あるいは半永続的スケジューリングのスケジューリング情報は常に、異なるキャリアによって示されてよい。スケジューリング情報が示された後、半永続的スケジューリング期間全体において基地局によって用いられる送信リソースが決定され、送信リソースは、半永続的スケジューリング期間が終わる、またはリソースが動的スケジューリングにおいて再割り当てされるまで、異なるキャリアに別々に属してよい。
【００７７】
この実施形態において、クロスキャリア半永続的スケジューリング時に、クロスキャリア周波数ホッピングを用いて、時間におけるダイバーシティ利得がさらに得られてよい。クロスキャリア半永続的スケジューリングのプロセスにおいて、基地局は第１のＵＥに指示して、異なるキャリア上の異なる周波数ホッピングモードを構成させてよい。あるいは周波数ホッピングは、いくつかのキャリアに対して用いられ、いくつかのキャリアに対して用いられなくてよい。
【００７８】
図１１は、本発明の実施形態４による基地局の概略構造図である。図１１に示されるように、この実施形態においてもたらされる基地局は、決定モジュール１１、構成モジュール１２、および送信モジュール１３を含んでよい。
【００７９】
決定モジュール１１は、２次成分キャリアを追加することを決定するように構成される。決定モジュール１１は、２次成分キャリアのサブフレームをオフセットすることを決定し、１次成分キャリアに対する２次成分キャリアのサブフレームオフセット量を、１次成分キャリアのサブフレーム比および２次成分キャリアのサブフレーム比に従って決定するようにさらに構成される。サブフレームオフセット量はＮ個のサブフレームの大きさであり、サブフレームオフセット量は２次成分キャリアのサブフレーム比の期間の整数倍に等しくなく、Ｎは１以上の正の整数である。構成モジュール１２は、基地局のカバレージエリア内の第１のＵＥセット内の各ＵＥに対する２次成分キャリアを構成するように構成される。送信モジュール１３は、構成情報を第１のＵＥセット内の各ＵＥに送るように構成され、構成情報は、２次成分キャリアの周波数、２次成分キャリアのサブフレーム比、および２次成分キャリアのサブフレームオフセット量を含む。
【００８０】
任意選択で送信モジュール１３は、構成モジュール１２が基地局のカバレージエリア内の第１のＵＥセット内の各ＵＥに対する２次成分キャリアを構成する前に、２次成分キャリアを用いて、基地局のカバレージエリア内のすべてのＵＥに、２次成分キャリアの周波数、サブフレーム比、およびサブフレームオフセット量をブロードキャストするようにさらに構成される。決定モジュール１１は、予め設定された選択条件に従ってＵＥのすべてから第２のＵＥセットを決定するようにさらに構成される。送信モジュール１３は、第２のＵＥセット内の各ＵＥに測定命令を送るようにさらに構成され、測定命令は、第２のＵＥセット内の各ＵＥに指示して、２次成分キャリアを測定するために用いられる。それに対応して基地局は、２次成分キャリアに関したおよび第２のＵＥセット内の各ＵＥによって返された測定結果を受信するように構成された受信モジュールをさらに含む。決定モジュールは、２次成分キャリアに関する、第２のＵＥセット内の各ＵＥによって返された測定結果に従って、第２のＵＥセットから、その測定結果が予め設定された条件を満たすＵＥを決定し、その測定結果が予め設定された条件を満たすＵＥを用いて第１のＵＥセットを形成するようにさらに構成される。
【００８１】
任意選択で、２次成分キャリアのサブフレームオフセット量は、１次成分キャリアの別の２次成分キャリアのサブフレームオフセット量と同じである。
【００８２】
任意選択で、２次成分キャリアのサブフレームオフセット量は、１次成分キャリアの別の２次成分キャリアのサブフレームオフセット量とは異なる。
【００８３】
任意選択で、２次成分キャリアのサブフレーム比は、１次成分キャリアのサブフレーム比、および１次成分キャリアの別の２次成分キャリアのサブフレーム比と同じである。
【００８４】
任意選択で、２次成分キャリアのサブフレーム比は、１次成分キャリアのサブフレーム比、および１次成分キャリアの別の２次成分キャリアのサブフレーム比とは異なる。
【００８５】
この実施形態での基地局は、実施形態１においてもたらされる方法を行うように構成されてよい。特定の実装形態およびその技術的効果は同様であり、ここでは詳細は述べられない。
【００８６】
本発明の実施形態５は、基地局をもたらす。図１２は、本発明の実施形態５による基地局の概略構造図である。図１２に示されるように、図１１に示される基地局に基づいてこの実施形態での基地局は、ハンドオーバモジュール１４および受信モジュール１５をさらに含む。それに対応して、実施形態４での基地局に基づいてこの実施形態での基地局は、以下の機能をさらに有する。
【００８７】
決定モジュール１１は、アップリンクトラフィック量および／またはダウンリンクトラフィック量に従って、２次成分キャリアのサブフレームオフセット量を調整することを決定し、２次成分キャリアが調整されることによるサブフレームオフセット量を決定するようにさらに構成される。
【００８８】
送信モジュール１３は、第１のＵＥセット内の各ＵＥに２次成分キャリアに対する構成削除命令を送るようにさらに構成される。構成削除命令は、第１のＵＥセット内の各ＵＥに指示して、２次成分キャリアの構成を削除するために用いられる。
【００８９】
ハンドオーバモジュール１４は、第３のＵＥセット内にある、２次成分キャリアにキャンプオンするＵＥを別のキャリアにハンドオーバするように構成され、第３のＵＥセット内のＵＥは、２次成分キャリアを１次成分キャリアとして用いるＵＥである。
【００９０】
構成モジュール１２は、２次成分キャリアが調整されることによるサブフレームオフセット量に従って、第１のＵＥセット内の各ＵＥに対する２次成分キャリアを再構成するようにさらに構成される。
【００９１】
送信モジュール１３は、更新されたキャリア情報を、第１のＵＥセット内の各ＵＥおよび第３のＵＥセット内の各ＵＥに送るようにさらに構成される。更新されたキャリア情報は、２次成分キャリアの周波数、２次成分キャリアのサブフレーム比、および２次成分キャリアが調整されることによるサブフレームオフセット量を含む。
【００９２】
受信モジュール１５は、２次成分キャリアに関する、第３のＵＥセット内の各ＵＥによって送られた測定結果を受信するように構成される。２次成分キャリアに関する測定結果は、更新されたキャリア情報に従って測定を行うことによって、第３のＵＥセット内の各ＵＥによって得られる。
【００９３】
ハンドオーバモジュール１４は、２次成分キャリアに関する、第３のＵＥセット内の各ＵＥによって送られた測定結果に従って、第３のＵＥセット内の各ＵＥを、別のキャリアから２次成分キャリアにハンドオーバするかどうかを決定し、第３のＵＥセット内にある、２次成分キャリアにハンドオーバされる必要があるＵＥをハンドオーバするようにさらに構成される。
【００９４】
この実施形態での基地局は、実施形態２においてもたらされる方法を行うように構成されてよい。特定の実装形態およびその技術的効果は同様であり、ここでは詳細は述べられない。
【００９５】
本発明の実施形態６は、基地局をもたらす。基地局の構造については、図１１または図１２を参照されたい。実施形態４および実施形態５での基地局に基づいて、この実施形態での基地局は、以下の機能をさらに有する。
【００９６】
決定モジュール１１は、第１のＵＥによってアクティブ化されたキャリアを決定し、第１のＵＥは第１のＵＥセット内の任意のＵＥであり、およびアクティブ化されたキャリアから、バンドルされた送信のために用いられる少なくとも２つのキャリアのバンドルされたサブフレームを決定するようにさらに構成される。バンドルされたサブフレームは、バンドルされた送信のために用いられる少なくとも２つのキャリアの連続したサブフレームであり、バンドルされたサブフレームは同じデータを送信するために用いられる。
【００９７】
送信モジュール１３は、第１のＵＥがバンドルされた送信の構成情報に従ってバンドルされた送信を行うように、バンドルされた送信の構成情報を第１のＵＥに送るようにさらに構成される。バンドルされた送信の構成情報は、バンドルされた送信のために用いられる少なくとも２つのキャリア、バンドルされた送信のために用いられる少なくとも２つのキャリア内の、バンドルされた送信で用いられるリソースブロック、バンドルされたサブフレームのシーケンス番号、およびバンドルされた送信のスケジューリング方式を含む。
【００９８】
この実施形態での基地局は、実施形態３においてもたらされる方法を行うように構成されてよい。特定の実装形態およびその技術的効果は同様であり、ここでは詳細は述べられない。
【００９９】
図１３は、本発明の実施形態７による基地局の概略構造図である。図１３に示されるようにこの実施形態においてもたらされる基地局２００は、プロセッサ２１、メモリ２２、送信機２３、および受信機２４を含む。メモリ２２、送信機２３、および受信機２４は、システムバスを用いてプロセッサ２１に接続されそれと通信する。メモリ２３は、コンピュータプログラムを記憶するように構成される。プロセッサ２１は、以下の方法を行うためにコンピュータプログラムを実行するように構成される。
【０１００】
プロセッサ２１は、２次成分キャリアを追加することを決定すること、２次成分キャリアのサブフレームをオフセットすることを決定すること、１次成分キャリアに対する２次成分キャリアのサブフレームオフセット量を、１次成分キャリアのサブフレーム比および２次成分キャリアのサブフレーム比に従って決定することであって、サブフレームオフセット量はＮ個のサブフレームの大きさであり、サブフレームオフセット量は２次成分キャリアのサブフレーム比の期間の整数倍に等しくなく、Ｎは１以上の正の整数である、決定すること、および基地局のカバレージエリア内の第１のユーザ機器ＵＥセット内の各ＵＥに対する２次成分キャリアを構成することを行うように構成される。
【０１０１】
送信機２３は、構成情報を第１のＵＥセット内の各ＵＥに送るように構成され、構成情報は、２次成分キャリアの周波数、２次成分キャリアのサブフレーム比、および２次成分キャリアのサブフレームオフセット量を含む。
【０１０２】
任意選択でプロセッサ２１は、アップリンクトラフィック量および／またはダウンリンクトラフィック量に従って、２次成分キャリアのサブフレームオフセット量を調整することを決定すること、および２次成分キャリアが調整されることによるサブフレームオフセット量を決定することを行うようにさらに構成される。それに対応して送信機２３は、２次成分キャリアに対する構成削除命令を、第１のＵＥセット内の各ＵＥに送ることであって、構成削除命令は、第１のＵＥセット内の各ＵＥに指示して、２次成分キャリアの構成を削除するために用いられる、送ること、第３のＵＥセット内にある、２次成分キャリアにキャンプオンするＵＥを別のキャリアにハンドオーバすることであって、第３のＵＥセット内のＵＥは、２次成分キャリアを１次成分キャリアとして用いるＵＥである、ハンドオーバすること、および次いで２次成分キャリアが調整されることによるサブフレームオフセット量に従って、第１のＵＥセット内の各ＵＥに対する２次成分キャリアを再構成することを行うようにさらに構成される。送信機２３は、更新されたキャリア情報を第１のＵＥセット内の各ＵＥおよび第３のＵＥセット内の各ＵＥに送るようにさらに構成され、更新されたキャリア情報は、２次成分キャリアの周波数、２次成分キャリアのサブフレーム比、および２次成分キャリアが調整されることによるサブフレームオフセット量を含む。受信機２４は、２次成分キャリアに関したおよび第３のＵＥセット内の各ＵＥによって送られた測定結果を受信するようにさらに構成され、２次成分キャリアに関する測定結果は、更新されたキャリア情報に従って測定を行うことによって第３のＵＥセット内の各ＵＥによって得られる。プロセッサ２１は、２次成分キャリアに関する、第３のＵＥセット内の各ＵＥによって送られた測定結果に従って、第３のＵＥセット内の各ＵＥを、別のキャリアから２次成分キャリアにハンドオーバするかどうかを決定し、第３のＵＥセット内にありおよび２次成分キャリアにハンドオーバされる必要があるＵＥをハンドオーバするようにさらに構成される。
【０１０３】
任意選択でプロセッサ２１は、第１のＵＥによってアクティブ化されたキャリアを決定することであって、第１のＵＥは第１のＵＥセット内の任意のＵＥである、決定すること、およびアクティブ化されたキャリアから、バンドルされた送信のために用いられる少なくとも２つのキャリアのバンドルされたサブフレームを決定することを行うようにさらに構成され、バンドルされたサブフレームは、バンドルされた送信のために用いられる少なくとも２つのキャリアの連続したサブフレームであり、バンドルされたサブフレームは同じデータを送信するために用いられる。それに対応して送信機２３は、第１のＵＥがバンドルされた送信の構成情報に従ってバンドルされた送信を行うように、バンドルされた送信の構成情報を第１のＵＥに送るようにさらに構成される。バンドルされた送信の構成情報は、バンドルされた送信のために用いられる少なくとも２つのキャリア、バンドルされた送信のために用いられる少なくとも２つのキャリア内にありおよびバンドルされた送信で用いられるリソースブロック、バンドルされたサブフレームのシーケンス番号、およびバンドルされた送信のスケジューリング方式を含む。
【０１０４】
任意選択で、基地局のカバレージエリア内の第１のＵＥセット内の各ＵＥに対する２次成分キャリアを構成する前に、プロセッサ２１は、２次成分キャリアを用いて、基地局のカバレージエリア内のすべてのＵＥに、２次成分キャリアの周波数、サブフレーム比、およびサブフレームオフセット量をブロードキャストすること、予め設定された選択条件に従ってＵＥのすべてから第２のＵＥセットを決定すること、および第２のＵＥセット内の各ＵＥに測定命令を送ることを行うようにさらに構成される。測定命令は、第２のＵＥセット内の各ＵＥに指示して、２次成分キャリアを測定するために用いられる。それに対応して受信機２４は、２次成分キャリアに関したおよび第２のＵＥセット内の各ＵＥによって返された測定結果を受信するように構成される。プロセッサ２１は、２次成分キャリアに関する、第２のＵＥセット内の各ＵＥによって返された測定結果に従って、第２のＵＥセットから、その測定結果が予め設定された条件を満たすＵＥを決定し、その測定結果が予め設定された条件を満たすＵＥを用いて第１のＵＥセットを形成するようにさらに構成される。
【０１０５】
任意選択で、２次成分キャリアのサブフレームオフセット量は、１次成分キャリアの別の２次成分キャリアのサブフレームオフセット量と同じである。
【０１０６】
任意選択で、２次成分キャリアのサブフレームオフセット量は、１次成分キャリアの別の２次成分キャリアのサブフレームオフセット量とは異なる。
【０１０７】
任意選択で、２次成分キャリアのサブフレーム比は、１次成分キャリアのサブフレーム比、および１次成分キャリアの別の２次成分キャリアのサブフレーム比と同じである。
【０１０８】
任意選択で、２次成分キャリアのサブフレーム比は、１次成分キャリアのサブフレーム比、および１次成分キャリアの別の２次成分キャリアのサブフレーム比とは異なる。
【０１０９】
この実施形態での基地局は、実施形態１から実施形態３においてもたらされる方法を行うように構成されてよい。特定の実装形態およびその技術的効果は同様であり、ここでは詳細は述べられない。
【０１１０】
当業者は、方法実施形態のステップのすべてまたはいくつかは、関連するハードウェアに指示するプログラムによって実装されてよいことを理解してよい。プログラムは、コンピュータ可読記憶媒体に記憶されてよい。プログラムが稼働するとき、方法実施形態のステップが行われる。上記の記憶媒体は、ＲＯＭ、ＲＡＭ、磁気ディスク、または光ディスクなどのプログラムコードを記憶できる任意の媒体を含む。
【０１１１】
最後に、上記の実施形態は単に本発明の技術的解決策を述べるためのものであるが、本発明を限定するためのものではないことが留意されるべきである。本発明は、上記の実施形態を参照して詳しく述べられたが、当業者は、本発明の実施形態の技術的解決策の範囲から逸脱せずに、上記の実施形態で述べられた技術的解決策に対してさらに変更を行う、またはそれらの技術的特徴のいくつかまたはすべてに対して等価な置き換えを行ってよいことを理解するべきである。
【図１】
0006463516.tif 000003
【図２】
0006463516.tif 000004
【図３】
0006463516.tif 000005
【図４】
0006463516.tif 000006
【図５】
0006463516.tif 000007
【図６】
0006463516.tif 000008
【図７】
0006463516.tif 000009
【図８Ａ】
0006463516.tif 000010
【図８Ｂ】
0006463516.tif 000011
【図９】
0006463516.tif 000012
【図１０】
0006463516.tif 000013
【図１１】
0006463516.tif 000014
【図１２】
0006463516.tif 000015
【図１３】
0006463516.tif 000016